【手続補正書】
【提出日】平成17年8月18日(2005.8.18)
【手続補正１】
【補正対象書類名】明細書
【補正対象項目名】発明の名称
【補正方法】変更
【補正の内容】
【発明の名称】再生装置、再生方法
【手続補正２】
【補正対象書類名】明細書
【補正対象項目名】特許請求の範囲
【補正方法】変更
【補正の内容】
【特許請求の範囲】
【請求項１】
それぞれ異なる種類の記録媒体に対応して再生動作を行うことのできる複数のドライブ手段と、
前記各ドライブ手段で再生可能状態とされている各記録媒体に記録されている再生単位データをリストアップした再生リストを生成するリスト生成手段と、
前記再生リストに基づいて再生動作制御を行うことで、再生可能状態にある種類の異なる複数の記録媒体に記録された全部又は一部の再生単位データ群を対象として、再生単位データを順次再生させていくことのできる再生制御手段と、
を備えたことを特徴とする再生装置。
【請求項２】
前記リスト生成手段は、前記再生リストに、リストアップされた各再生単位データについて、その再生単位データが記録されている記録媒体を識別する識別情報を付加するとともに、
前記再生制御手段は、前記再生リスト上の或る再生単位データを再生させる際に、その再生単位データについての識別情報に基づいて再生動作指示を行うことを特徴とする請求項１に記載の再生装置。
【請求項３】
前記リスト生成手段は、再生順序に基づいて各再生単位データをリストアップした再生リストを生成するとともに、
前記再生制御手段は、前記再生リストにおいてリストアップされた順序に、各再生単位データを再生させる制御を行うことを特徴とする請求項１に記載の再生装置。
【請求項４】
前記再生制御手段は、前記再生リストにリストアップされた再生単位データの中から或る再生単位データをランダムに選択して順次再生させる制御を行うことを特徴とする請求項１に記載の再生装置。
【請求項５】
前記再生制御手段は、前記再生リストにリストアップされた再生単位データのうちで、その全部又は一部を、指定された順序で再生させる制御を行うことを特徴とする請求項１に記載の再生装置。
【請求項６】
それぞれ異なる種類の記録媒体に対応して再生動作を行うことのできる複数のドライブ手段において再生可能状態の各記録媒体に記録されている再生単位データをリストアップした再生リストを生成するリスト生成ステップと、
前記再生リストに基づいて再生動作制御を行うことで、再生可能状態にある種類の異なる複数の記録媒体に記録された全部又は一部の再生単位データ群を対象として、再生単位データを順次再生させていく再生制御ステップと、
を備えたことを特徴とする再生方法。
【請求項７】
前記リスト生成ステップでは、前記再生リストに、リストアップされた各再生単位データについて、その再生単位データが記録されている記録媒体を識別する識別情報を付加するとともに、
前記再生制御ステップでは、前記再生リスト上の或る再生単位データを再生させる際に、その再生単位データについての識別情報に基づいて再生動作指示を行うことを特徴とする請求項６に記載の再生方法。
【請求項８】
前記リスト生成ステップでは、再生順序に基づいて各再生単位データをリストアップした再生リストを生成するとともに、
前記再生制御ステップでは、前記再生リストにおいてリストアップされた順序で、各再生単位データを再生させる制御を行うことを特徴とする請求項６に記載の再生方法。
【請求項９】
前記再生制御ステップでは、前記再生リストにリストアップされた再生単位データの中から或る再生単位データをランダムに選択して順次再生させる制御を行うことを特徴とする請求項６に記載の再生方法。
【請求項１０】
前記再生制御ステップでは、前記再生リストにリストアップされた再生単位データのうちで、その全部又は一部を、指定された順序で再生させる制御を行うことを特徴とする請求項６に記載の再生方法。
【手続補正３】
【補正対象書類名】明細書
【補正対象項目名】０００１
【補正方法】変更
【補正の内容】
【０００１】
【発明の属する技術分野】
本発明は、種類の異なる複数の記録媒体を再生できる再生装置及び再生方法に関するものである。
【手続補正４】
【補正対象書類名】明細書
【補正対象項目名】０００６
【補正方法】変更
【補正の内容】
【０００６】
このため本発明の再生装置は、それぞれ異なる種類の記録媒体に対応して再生動作を行うことのできる複数のドライブ手段と、各ドライブ手段で再生可能状態とされている各記録媒体に記録されている再生単位データ（トラック、ファイル等）をリストアップした再生リストを生成するリスト生成手段と、再生リストに基づいて再生動作制御を行うことで、再生可能状態にある種類の異なる複数の記録媒体に記録された全部又は一部の再生単位データ群を対象として、各再生単位データを順次に再生させていくことのできる再生制御手段とを備えるようにする。
また本発明の再生方法は、それぞれ異なる種類の記録媒体に対応して再生動作を行うことのできる複数のドライブ手段において再生可能状態の各記録媒体に記録されている再生単位データをリストアップした再生リストを生成するリスト生成ステップと、前記再生リストに基づいて再生動作制御を行うことで、再生可能状態にある種類の異なる複数の記録媒体に記録された全部又は一部の再生単位データ群を対象として、再生単位データを順次再生させていく再生制御ステップとを備える。
即ち、複数のドライブ手段で再生可能な再生単位データについて全てを対象として再生リストを生成し、その再生リストに基づいて再生動作制御を行うことで、記録媒体の区別なく、その時点で再生可能な再生単位データを対象として各種の特殊再生動作を実行できるようにする。
【手続補正５】
【補正対象書類名】明細書
【補正対象項目名】０００７
【補正方法】変更
【補正の内容】
【０００７】
又、リスト生成手段（リスト生成ステップ）は、再生リストに、リストアップされた各再生単位データについて、その再生単位データが記録されている記録媒体を識別する識別情報を付加するとともに、再生制御手段は、再生リスト上の或る再生単位データを再生させる際に、その再生単位データについての識別情報に基づいて再生動作指示を行うようにする。つまり再生リスト上で、再生させようとする再生単位データについてその記録位置（記録媒体）を識別できるようにすることで、再生リストのみを基準にして容易に再生制御を行うことができるようにする。
【手続補正６】
【補正対象書類名】明細書
【補正対象項目名】００５６
【補正方法】変更
【補正の内容】
【００５６】
５．通常再生動作
以上の説明からわかるように、記録再生装置１０は、再生装置としてみればＨＤＤ１５、ＣＤ−ＲＯＭドライブ１７、ＭＤドライブ１８を有することで、３種類の異なるメディア、つまりハードディスク、ＣＤ、ＭＤに対応する再生装置となっている。
そしてこれら３種類のメディアに記録された音楽等の情報（ＣＤ、ＭＤにおけるトラックや、ＨＤＤ１５における上記オーディオファイル）については、ユーザーは任意に再生を指示することができる。
【手続補正７】
【補正対象書類名】明細書
【補正対象項目名】０１１１
【補正方法】変更
【補正の内容】
【０１１１】
【発明の効果】
以上の説明からわかるように本発明の再生装置、再生方法では以下のような効果が得られる。
即ち各ドライブ手段で再生可能状態とされている異なる種類の各記録媒体に記録されている再生単位データ（トラック／ファイルなどの１つの再生単位）をリストアップした再生リストを生成し、その再生リストに基づいて再生動作制御を行う。これにより、再生可能状態にある、種類の異なる複数の記録媒体に記録された全部の再生単位データ群を対象として、各再生単位データを再生させていくことができるようになる。つまり、複数種類のメディア毎で隔てなく、再生可能な全ての再生単位データを対象として多様な再生動作を実行することができるという効果があり、これによって多種メディア対応の複合機器を使用するユーザーの楽しみを広げることができる。